(57)【特許請求の範囲】
【請求項１】
リールを回転駆動してその周面に長尺のオイルフェンスを巻き取るオイルフェンス巻取装置において、
前記リールの駆動軸系に遠心式ブレーキドラム（２２）を設けるとともに、
該遠心式ブレーキドラム（２２）は、前記リール（１）の回転駆動軸（２）の端部にディスク（２６）が固着され、このディスク（２６）を取り囲むように円筒状のケーシング（２４）が固定され、ディスク（２６）の周面には複数組の外周面にライニング（２９）が貼着された各ブレーキシュー（２７）の一端側がピン（２８）にて同ピン（２８）の回りの揺動を可能に枢着され、前記ディスク（２６）のボスに調整リング（３０）が挿嵌され、この調整リング（３０）と前記各ブレーキシュー（２７）との間にバネ（３３）が各ブレーキシュー（２７）の一端を求心方向に引っ張り付けるように設けられ、前記調整リング（３０）によりブレーキ制動力の調整が可能なブレーキシュー（２７）をそなえることを特徴とするオイルフェンス巻取装置。
【発明の詳細な説明】
【０００１】
【産業上の利用分野】
この発明は、水面を汚濁するオイル等の拡散を防止するために水面上に張設して使用するオイルフェンスを、リールのまわりに巻き取り、または巻き戻すための巻取装置に関するものである。
【０００２】
【従来の技術】
従来使用されているこの種のオイルフェンス巻取装置の構成について、一例を示す図面を参照しながら以下に説明する。図５および図６において、リール１は回転駆動軸２をそなえ、フレーム３上の一対の軸受４，４に軸支されて減速機付モータ５により回転駆動される。すなわち、減速機付モータ５からチェーン６によって中間軸７を駆動し、中間軸７からチェーン８によってリール１の回転駆動軸２を駆動する。９は、中間軸７の途中に設けられる主クラッチであり、１０は捩り杆１１を介して足踏み式ブレーキドラム１２を作動するブレーキペダルである。１３は全体装置の操作盤で、操作盤１３の操作によってリール１を回転駆動し、オイルフェンスＡをそのリールの胴体の回りに巻き取り、あるいは解き放す作業を行う。
【０００３】
１４は整列機で、左右方向の移動が可能なガイド枠１５をそなえ、ガイド枠１５を左右に自動式に移動することにより、胴体上の巻付位置の規制を行う。２１はそのための動力を伝達する伝動軸である。上記の構成により、リール１の周面にオイルフェンスＡを巻き取る作業が継続して行われている間、整列機１４による巻付態様の均等化の操作が自動的に行われ、リール１上の整然としたオイルフェンスＡの巻取態様が実現される。
【０００４】
【発明が解決しようとする課題】
前記の従来装置によってオイルフェンスの巻き取り・巻き戻し作業を行う場合には、つぎに説明するような不具合の生じるおそれがある。すなわち、オイルフェンスの巻き戻し作業中、該作業の間を通じてオイルフェンスに負荷される抵抗が、一定値を保持した状態で作業が経過する場合には問題はないが、オイルフェンスの水中深さ、または浸漬状態の変動、あるいはオイルフェンスを沖に向かって展張する展張船の速度変動等の原因によって、巻き戻し作業を通じてオイルフェンスに発生する負荷抵抗は必ずしも一定状態ではなく、むしろ変動を生じるのが普通である。そのため負荷抵抗の大きい状態から急に負荷抵抗の小さい状態になることも当然起こり得るが、その場合には、いわゆる力が余ってリールに空回りが生じ、それまで整列機によってリールの周面に秩序正しく巻き取られていたオイルフェンスの巻き戻しの態様に乱れが発生する。図７はこの状態を示し、展張船ＳによってオイルフェンスＡを単位時間中にＰ矢の方向に引いて行く長さよりも、リール１の慣性力によって巻き戻されるオイルフェンスＡの長さの方が長くて、その結果たるみＴを生じた状態が示されている。この現象は、リール１に巻き取られているオイルフェンスの量が多くて、巻き取ったオイルフェンスを含むリールの全体重量が大きい時ほど起こり方が顕著である。オイルフェンスにたるみＴが生じると、オイルフェンスの縺れ，あるいは“だんご”状態の発生の原因となり、作業の円滑な進行が阻害されるばかりでなく、ときにはオイルフェンスの損傷や作業者の安全が損なわれる危険性さえ生じるおそれがある。
【０００５】
このような不具合状態の発生に対し、従来はブレーキペダル１０（図５，図６）を足で踏んでブレーキのかかり具合を加減することにより対処していた。すなわち、展張船Ｓの発進とともにオイルフェンスＡの巻き戻しが始まって、リール１の回転が次第に上昇してくると、前述のような原因によって、油断をするとリール１の過速によるオーバーランが発生する。そのため、オーバーランによってオイルフェンスＡのたるみＴが発生しそうになると、直ちにブレーキペダルを踏んでオーバーランを防止する必要がある。しかし、展張船の発進がリールの回転速度を急速に加速するような場合には、ブレーキペダルを踏んでもすぐには停止しないので、展張船との間のオイルフェンスが少し引っ張り合い気味のテンション状態を保つように、絶えずブレーキペダルによる調節を行わねばならない。これは大変手間と神経の消耗を伴うもので、このような煩雑でエネルギーの浪費を伴う作業をなくし、作業の完全な自動化と安定した操業を可能とする装置の開発が望まれていた。
【０００６】
この発明は、前記従来技術の現状にかんがみてなされたもので、きわめて簡単な装置の付加と容易な操作とによって、従来必要とされた足踏み式ブレーキペダルなどによる煩雑でエネルギーの浪費を伴う作業をなくし、オイルフェンスの巻き取り・巻き戻し作業の完全な自動化と安定した操業を遂行できるオイルフェンス巻取装置を提供することを目的としている。
【０００７】
【課題を解決するための手段】
前記の課題を解決するために、本発明のオイルフェンス巻取装置では、リールを回転駆動してその周面に長尺のオイルフェンスを巻き取るオイルフェンス巻取装置において、前記リールの駆動軸系に遠心式ブレーキドラムを設けるとともに、該遠心式ブレーキドラム２２は、前記リール１の回転駆動軸２の端部にディスク２６が固着され、このディスク２６を取り囲むように円筒状のケーシング２４が固定され、ディスク２６の周面には複数組の外周面にライニング２９が貼着された各ブレーキシュー２７の一端側がピン２８にて同ピン２８の回りの揺動を可能に枢着され、前記ディスク２６のボスに調整リング３０が挿嵌され、この調整リング３０と前記各ブレーキシュー２７との間にバネ３３が各ブレーキシュー２７の一端を求心方向に引っ張り付けるように設けられ、前記調整リング３０によりブレーキ制動力の調整が可能なブレーキシュー２７をそなえることを特徴としている。
【０００８】
【作用】
前記の構成をそなえるオイルフェンス巻取装置によって、オイルフェンスの巻き取り・巻き戻し作業を行うには、まず該装置のリールの駆動軸系に設けられた遠心式ブレーキドラムのブレーキシューに対し、ブレーキ制動力の調整作業を行う。調整の要領は、該ブレーキドラムのそなえるブレーキシューに作用する制動力の調整を、前記調整リングを旋回させることによりブレーキシューを求心方向に引き付けているバネの強さを調節することによって行う。それによって、展張船に許容される最高速度に相当するリールの回転駆動軸の回転速度の制限を自動的に行うことが可能となる。
【０００９】
前記の調整をブレーキドラムに対して行った後、操作盤の操作によってオイルフェンス巻取装置を稼働すると、巻き戻し作業のときのリールの回転速度が、展張船の許容速度を越えて回転することがないから、展張船の一時的なオーバーランによってオイルフェンスにたるみの生じることが防止される。そのため、ブレーキペダルの踏み加減によって絶えずたるみの発生を防御するなどの従来行われた煩雑な操作の必要がなくなり、全く安心のできる状態のもとに機械的な自動制御に任かせて巻取装置の稼働を続行することができる。
【００１０】
【実施例】
図１および図２は、この発明にかかるオイルフェンス巻取装置の一実施例を示している。図において、リール１は回転駆動軸２をそなえ、フレーム３上の一対の軸受４，４に軸支されて減速機付モータ５により回転駆動される。すなわち、減速機付モータ５からチェーン６によって中間軸７を駆動し、中間軸７からチェーン８によってリール１の回転駆動軸２を駆動する。９は、中間軸７の途中に設けられる主クラッチであり、１０は捩り杆１１を介して足踏み式ブレーキドラム１２を作動するブレーキペダルである。１３は全体装置の操作盤で、操作盤１３の操作によってリール１を回転駆動し、オイルフェンスＡをそのリールの胴体の回りに巻き取り、または巻き戻す。
【００１１】
１４は整列機で、左右方向の一定距離間の水平移動が可能なガイド枠１５をそなえる。ガイド枠１５は横ドラム１６，１７ならびに縦ドラム１８をそなえ、その間を通り抜けて誘導されるオイルフェンスＡのリール１上における巻付位置の規制を行う。規制の要領は、リール１の巻取回転の稼働中にガイド枠１５を左右方向に所定の速度で強制的に往復移動させ、リール１上の巻付位置を左右方向にずらせることによって行う。そのためのガイド枠１５を往復移動させる動力は、回転駆動軸２からチェーン１９，減速機２０および伝動軸２１を経てガイド枠移動機構に伝達される。上記の構成により、リール１の周面にオイルフェンスＡを巻き取る作業が継続して行われている間、整列機１４による巻付態様の均等化の操作が自動的に行われ、リール１上の整然としたオイルフェンスＡの巻取態様が実現される。
【００１２】
２２は遠心式のブレーキドラムで、リール１の回転駆動軸２の駆動側とは反対側の端部に設けられる。遠心式ブレーキドラム２２の詳細の一例が図３および図４に示される。ブラケット２３はフレーム３の上面に取り付けられ、その端面に円筒状のケーシング２４が取り付けられ、さらにその端部にふた２５が設けられる。ケーシング２４の内部であって回転駆動軸２の端部に、ディスク２６が固着されている。ディスク２６の周面には３組のブレーキシュー２７が等間隔に配置される。それぞれのブレーキシュー２７はピン２８の回りの揺動を可能に枢着され、その外周面にはいずれもライニング２９が貼着されている。３０は調整リングで、ディスク２６のボスに挿嵌され、ボスに加工したねじ３１にねじ込まれたナット３２によって、ボスの側面に滑りの生じない状態に強力に挟み付けられる。調整リング３０とブレーキシュー２７との間にバネ３３が挿入され、これによってブレーキシュー２７の一端を求心方向に引っ張り付けている。この状態で回転駆動軸２が回転すると、ディスク２６が回転し、３組のブレーキシュー２７は遠心力によってピン２８のまわりの回転モーメントを生じて、ブレーキシューのライニング２９がケーシング２４の内周面に押し付けられ、両面間にブレーキ制動力を発生する。
【００１３】
前記両面間のブレーキ制動力の調整は、調整リング３０をディスク２６に対して相対的に回動変位することにより行う。すなわち、ナット３２を緩めて調整リング３０を両面から挟み付けている締付力から解放し、所望の角度だけ旋回した後、再びナット３２を強く締め付けて、調整リング３０の旋回後の位置を両面からの押付力によって保持する。前記所望の角度とは、調整リング３０の旋回によってバネ３３に生じる長さの変化により、ブレーキシュー２７に新たに発生するブレーキ制動力が回転駆動軸２に要求される臨界制動力（展張船に許容される最高速度に相当するリールの回転駆動軸の回転速度制限を実現し得る制動力）を生じ得る角度をいう。
【００１４】
つぎに図１および図２に示すオイルフェンス巻取装置によって、オイルフェンスの巻き取り・巻き戻し作業を行う作用態様について説明する。作業の開始に先立ち、ブレーキドラムに対するブレーキ制動力の調整を行って、あらかじめ設定されるリールの回転速度に対する制限を満足し得る状態にバネ３３の引張力を調節する。この作業については、前記に詳細に説明した要領で行えばよい。それによって前記臨界制動力の設定が実現されて、展張船に許容される最高速度の制限を自動的に行うことが可能となる。
【００１５】
前記の調整を行った後、操作盤の操作によってオイルフェンス巻取装置を稼働する。最初にオイルフェンスＡをリール１に巻き取る作用を説明する。オイルフェンスＡの両端末には、適当長さ（リール１の胴を３〜４回巻くことのできる位の長さ）のロープを結び付けておくと便利である。このロープの端末をリール１の胴を構成する任意のパイプ材に結び付けておく。結び付ける位置は胴の右端あるいは左端の方が扱い勝手がよい。そのうえで主クラッチ９のレバーを“ＯＮ”にし、操作盤１３の巻取ボタンを押す。これによってオイルフェンスＡは、リール１の周面への巻取が開始されるのとともに、伝動軸２１を介して駆動される整列機１４の作用によって、リール１の周面に規則正しく巻き取られる。巻取作業が完了した時点で電源を切ると、それによって自動的にストッパーがかかり、リール１が不用意に回動することが防止される。
【００１６】
つぎにリール１に巻き取られているオイルフェンスＡを水中に向かって巻き戻すには、主クラッチ９のレバーを“ＯＦＦ”にし、オイルフェンスＡの端末のロープを展張船に連結する。そして、展張船を発進させると、展張船の出航とともにオイルフェンスＡはリール１上から自然に巻き戻され、水上に向かって展張されて行く。展張船の進行に応じて、リール１の巻き戻しのスピードが次第に加速される。展張船に起こり得る最大スピードは前以て計算されており、その計算スピードを超えたスピードてリール１が回転することをリール１の軸端に付設したブレーキドラム２２によって制止されているので、したがって、リールが展張船の許容速度を越えて回転することがない。その結果、展張船の一時的なオーバーランによってオイルフェンスＡにたるみの生じることが防止される。そのため、ブレーキペダルの踏み加減によって絶えずたるみの発生を防御するなどの従来行われた煩雑な操作は一切必要がなくなり、安心してオイルフェンスの展張作業を機械的な自動制御に任かせておくことができる。
【００１７】
以上の説明に用いた実施例では、遠心式ブレーキドラムのブレーキシューがそなえるブレーキ制動力の調整が可能な構造の例として、ブレーキシューの遠心力と対抗して作用するバネ力の加減手段の例を示したが、制動力の調整手段は決して本実施例の方式に限るものではなく、他の慣用手段の適用も勿論特許請求の技術範囲に含まれるものである。また前記実施例では、遠心式ブレーキドラムの設置箇所として、リールの回転駆動軸の一端とした例を示したが、これも実施例の箇所に限るものではなく、リールに通じるあらゆる駆動軸系を設置の対象箇所とすることも可能であることは言うまでもない。
【００１８】
【発明の効果】
この発明のオイルフェンス巻取装置は以上のように構成されるので、次のような効果がある。
【００１９】
１）きわめて簡単な装置の付加と容易な操作とによって、オイルフェンスの巻き取り・巻き戻し作業の完全な自動化と安定した操業の遂行を可能とし、従来必要とされた足踏み式ブレーキペダルなどによる煩雑でエネルギーの浪費を伴う操業を一切排除することができる。
【００２０】
２）展張船等によってオイルフェンスを水中へ巻き戻す作業の実施中に、展張船の一時的なオーバーラン等によってオイルフェンスにたるみの生じることが防止され、作業の安全性の強化と作業能率の増進、ならびに作業の省力化に寄与するところが大きい。
【図面の簡単な説明】
【図１】本発明のオイルフェンス巻取装置の一実施例の側面図である。
【図２】図１のオイルフェンス巻取装置の平面図である。
【図３】図１のオイルフェンス巻取装置に装備される遠心式ブレーキドラムの要部を示す正面図である。
【図４】図３の遠心式ブレーキドラムの断面図である。
【図５】従来のオイルフェンス巻取装置の側面図である。
【図６】図５のオイルフェンス巻取装置の平面図である。
【図７】従来装置の作用態様を示す説明図である。
【符号の説明】
１    リール
２    回転駆動軸
３    フレーム
４    軸受
５    減速機付モータ
６    チェーン
７    中間軸
８    チェーン
９    主クラッチ
１０    ブレーキペダル
１１    捩り杆
１２    足踏み式ブレーキドラム
１３    操作盤
１４    整列機
１５    ガイド枠
２１    伝動軸
２２    ブレーキドラム
２７    ブレーキシュー
３０    調整リング
３１    ねじ
３２    ナット
３３    バネ
【図１】
0003619563.tif 000002
【図２】
0003619563.tif 000003
【図３】
0003619563.tif 000004
【図４】
0003619563.tif 000005
【図５】
0003619563.tif 000006
【図６】
0003619563.tif 000007
【図７】
0003619563.tif 000008